(57)【要約】【課題】従来のハイブリット式温風暖房器では送風系を１個の送風ファンで制御していたので、燃焼ヒータの単独運転の場合と燃焼ヒータに加えて電気ヒータを運転する場合とでは、発生熱量が異なることから、過熱防止のため筐体内に吸込む空気量を相違させる必要があり、燃焼空気量の相違のため燃焼ヒータを安定燃焼させるのが困難であった。【解決手段】前面に第１及び第２の吹出口１３と、後面に第１及び第２の吸気口１２とを設けた筐体に、ガスバーナ２０と第１送風ファン２１とから構成されるガスヒータ部２と、電気ヒータ３３と第２送風ファン３０とから構成される電気ヒータ部３とを、両ヒータ部の送風系が相互に独立するように区画して内蔵する。【選択図】　図２
2004125261.tif 000002
【特許請求の範囲】
【請求項１】
前面に第１及び第２の吹出口と、後面に第１及び第２の吸気口とを設けた筐体を備え、
ガスバーナと、このガスバーナーの下方に配置され、ガスバーナーからの燃焼ガスと第１吸気口から筐体内に吸込まれた空気とを混合して第１吹出口から室内に吹出す第１送風ファンとから構成されるガスヒータ部と、
第２吸気口から吸込まれた空気を加熱する電気ヒータと、加熱された空気を第２吹出口から室内に吹出す第２送風ファンとから構成される電気ヒータ部とを、両ヒータ部の送風系が相互に独立するように区画して筐体に内蔵したことを特徴とするハイブリット式温風暖房器。
【請求項２】
前記第１送風ファンと第２送風ファンとを同時運転させた場合に共振しないように、第１送風ファン及び第２送風ファンの少なくとも一方に、固有振動数を変更させる振動数変更手段を設けたことを特徴とする請求項１記載のハイブリット式温風暖房器。
【請求項３】
前記振動数変更手段は、電気ヒータ部を収納したケースであり、このケースに第２送風ファンのモータを固定したことを特徴とする請求項２記載のハイブリット式温風暖房器。
【請求項４】
前記ケースを、耐熱性を有する樹脂から形成したことを特徴とする請求項３記載のハイブリット式温風暖房器。
【発明の詳細な説明】
【０００１】
【発明の属する技術分野】
本発明は、ガスヒータと電気ヒータとを１個の筐体に内蔵したハイブリット式温風暖房器に関する。
【０００２】
【従来の技術】
従来、ハイブリット式温風暖房器としては、例えば、石油等を燃料とする燃焼器を備えた燃焼ヒータ部と電気ヒータを備えた電気ヒータ部とを、前面に吹出口、後面に吸気口を設けた筐体に内蔵したものが知られている。この場合、燃焼用空気を室内から筐体内に吸引し、各ヒータ部で加熱された温風を吹出す送風系は、筐体の後部に設けた１個の送風ファンによって制御される（特許文献１）。
【０００３】
【特許文献１】
特開平２０００−９３４７号公報（例えば、請求項の記載）
【０００４】
【発明が解決しようとする課題】
しかしながら、燃焼ヒータ部と電気ヒータ部との送風系を１個の送風ファンで制御すると、燃焼ヒータに加えて電気ヒータを運転する場合と、燃焼ヒータのみを運転し電気ヒータを停止させる場合とでは、発生熱量が異なることから、過熱防止のため筐体内に吸込む空気量を相違させる必要があり、燃焼空気量の相違のため燃焼ヒータを安定燃焼させるのが困難になる。
【０００５】
そこで、本発明は、上記点に鑑み、電気ヒータ部の運転、停止に関わらず燃焼ヒータ部の燃焼器を常時安定燃焼させることができるハイブリット式温風暖房器を提供することを課題とするものである。
【０００６】
【課題を解決するための手段】
上記課題を解決するため、本発明のハイブリット式温風暖房器は、前面に第１及び第２の吹出口と、後面に第１及び第２の吸気口とを設けた筐体を備え、ガスバーナと、このガスバーナーの下方に配置され、ガスバーナーからの燃焼ガスと第１吸気口から筐体内に吸込まれた空気とを混合して第１吹出口から室内に吹出す第１送風ファンとから構成されるガスヒータ部と、第２吸気口から吸込まれた空気を加熱する電気ヒータと、加熱された空気を第２吹出口から室内に吹出す第２送風ファンとから構成される電気ヒータ部とを、両ヒータ部の送風系が相互に独立するように区画して筐体に内蔵したことを特徴とする。
【０００７】
本発明によれば、ガスヒータ部と電気ヒータ部との送風系を相互に独立するように区画して筐体内に内蔵したので、ガスヒータ部に吸込む空気量を、電気ヒータ部の運転または停止に関わらず一定にでき、燃焼空気量を一定にしてガスバーナーを常時安定燃焼させることができる。
【０００８】
ところで、第１送風ファンと第２送風ファンとを同時に運転した場合、両送風ファンの振動周波数に基づく合成周波数で加振されて共振を起こし、音が発生する場合がある。この場合、温風暖房器自体の運転音が大きくなるという不具合が生じる。
【０００９】
このため、前記第１送風ファンと第２送風ファンとを同時運転させた場合に共振しないように、第１送風ファン及び第２送風ファンの少なくとも一方に固有振動数を変更させる振動数変更手段を設けておけば、共振音の発生を抑制でき、暖房器自体の運転音が大きくなるのが防止できる。
【００１０】
この場合、前記振動数変更手段は、例えば電気ヒータ部を収納したケースであり、このケースに第２送風ファンのモータを固定しておけばよい。
【００１１】
尚、前記ケースを、耐熱性を有する樹脂から形成すれば、このケースを複雑な形状に加工する場合でもその作業が容易になる。
【００１２】
【発明の実施の形態】
図１及び図２を参照して、１は、本発明のハイブリット式温風暖房器である。この温風暖房器１は箱状の筐体１１を有する。筐体１１内には、上側にガスヒータ部２が、下側に電気ヒータ部３が内蔵されている。
【００１３】
本実施の形態では、筐体１１の前面に、第１吹出口１２ａ及び第２吹出口１２ｂ、筐体１１の後面に第１吸気口１３ａ及び第２吸気口１３ｂを、ガスヒータ部２及び電気ヒータ３に対応させて形成し、後述するように２個の送風ファンを使用してガスヒータ部２と電気ヒータ部３との送風系を相互に独立のものとしている。
【００１４】
ガスヒータ部２は、燃焼器であるガスバーナー２０と、ガスバーナー２０の下方に配置され、ガスバーナー２０に燃焼用空気を供給すると共に燃焼ガスと第１吸気口１３ａから筐体１１に吸込まれた空気とを混合して室内に吹出す第１送風ファン２１とから構成されている。
【００１５】
ガスバーナー２０は、全一次式燃焼バーナーであり、筐体１１内に配置した比例弁４１に接続されたガス管（図示せず）の先端に装着されたガス噴射ノズル４２が臨む燃料／空気の吸入口２０１と、この吸入口２０１に連通する混合管部２０２とを形成したバーナー本体２０ａを有する。バーナー本体２０ａの開口した上面には、分布板２０３を介して複数の炎口が列設されたセラミック製炎口板２０４が装着され、炎口板２０４の上部空間は燃焼カバー２０５で囲われている。
【００１６】
ここで、例えばこのガスバーナー２０を長期間使用せず、吸入口２０１に塵やほこりが溜まって吸入口２０１が過度に閉塞されているような場合、ガスバーナーを点火すると、点火初期（点火操作から約１分間）に、供給される空気量が減少して不完全燃焼を起こし、ＣＯが発生し易い。この状態でハイブリット式温風暖房器１を使用すると室内にＣＯが放出される可能性がある。
【００１７】
このため、図３に示すように、燃焼カバー２０５の所定の位置に、この燃焼カバー２０５で囲まれた燃焼室２０６（図２参照）に二次空気を取入れる複数の二次空気孔２０５ａを列設し、点火初期にガスバーナー２０の燃焼状態を安定させるようにした。
【００１８】
また、筐体１１内には、燃焼室２０６の上方を囲うように第１隔壁５ａが設けられている。さらに、筐体１１内には、第１隔壁５ａを含むガスバーナー２０を覆うと共に第１隔壁５ａとの間で第１送風ファン４に通じる空気通路５１が形成されるように第２隔壁５ｂが設けられている。バーナー本体２０ａの下側に位置する第１送風ファン２１は、第１吹出口１２ａに通じる送風ダクト２１１ａが形成されたハウジング２１１を有する。
【００１９】
ハウジング２１１内には、回転数の制御が可能な第１モータ２１２に接続されたクロスフロー式の第１回転羽根２１３が配置されている。この場合、空気通路５１とハウジング２１１の内部空間とは、ハウジング２１１の上面開口２１１ｂを介して連通している。
【００２０】
これにより、第１吸気口１３ａから第１吹出口１２ａに通じるガスヒータ部２の送風系が形成される。そして、第１モータ２１２を駆動して第１回転羽根２１３を回転させると、筐体１１内に吸気口１３ａから室内の空気が吸い込まれ、バーナー本体２０ａの吸入口２０１に空気が供給されると共に、空気通路５１を空気が流れる。
【００２１】
この場合、吸入口２０１にガス噴射ノズル４２を介して燃料ガスを噴射すると混合気が炎口板２０４に供給される。尚、空燃比は、第１モータ２１２を制御して第１回転羽根２１３の回転数を制御することで調節される。
【００２２】
ガスバーナーからの燃焼ガスは、第１隔壁５ａの内側を通って第１送風ファン２１方向に吸引される。また、空気通路５１には、第１吸気口１３ａから吸引された空気が流れ、第１隔壁５ａの端部に到達すると燃焼ガスと空気とが混合されて温度低下し、開口２１１ｂを介してハウジング２１１内に流入する。そして、所定温度の混合気体が吹出口１２ａを介して室内に放出される。
【００２３】
一方、電気ヒータ部３は、第２吸気口１３ｂに連通した第２送風ファン３０を有する。この第２送風ファン３０は、吹出口１２ｂに通じる送風ダクト３０１ａが形成されたハウジング３０１を有し、その内部には回転数の制御が可能な第２モータ３１に接続されたクロスフロー式の第２回転羽根３２が配置されている。また、送風用ダクト３０１ａには８本のシーズヒータ３３が設けらている。
【００２４】
電気ヒータ部３の第２吹出口１２ｂから温風を吹出す場合、その温風によって室内の床面が過熱される可能性がある。このため、第２送風ファン３０の送風ダクト３０１ａを上方に向かって傾斜して設けている。
【００２５】
これにより、第２吸気口１３ｂから第２吹出口１２ｂに通じる電気ヒータ部３の送風系が形成される。そして、第２モータ３１を駆動させて第２回転羽根３２を回転させると、吸気口１３ｂを介して室内の空気が吸い込まれ、この空気が送風ダクト３０１ａに設けたシーズヒータ３３の周囲を通過する間に加熱され、吹出口１２ｂを介して加熱された空気が室内に放出される。
【００２６】
尚、前記第１及び第２の各吹出口１２ａ、１２ｂは、第１送風ファン２１から吹出される温風と第２送風ファン３０から吹出される温風空気とが合流するように隣接させて形成している。また、１及び第２の各吸気口１３ａ、１３ｂには、筐体１１内に塵やほこりが吸込まれるのを防止するため防塵ファルタ６ａ、６ｂをそれぞれ装着している。
【００２７】
ところで、第１送風ファン２１と第２送風ファン３０とを同時に運転した場合、両送風ファン２１、３０の振動周波数に基づく合成周波数で加振されて共振を起こし、音が発生する場合がある。この場合、温風暖房器１自体の運転音が大きくなるという不具合が生じる。
【００２８】
本実施の形態では、第１送風ファン２１と第２送風ファン３０とを同時運転させた場合に共振しないように、電気ヒータ部３を耐熱性の合成樹脂で形成した振動数変更手段であるケース７内に収納すると共にこのケース７に第２送風ファン３０のハウジング３０１を固定し、第２送風ファン２の固有振動数を変更させている。これにより、第１送風ファン２１と第２送風ファン３０とを同時運転しても共振を起こさず、音の発生を抑制して運転音が大きくなるのを防止できる。また、送風系が独立した電気ヒータ部３をケース７に収納しているので、このケース７ごと筐体１１から取外せば、電気ヒータ部３のない単独のガスファンヒータを簡単に構成できる。
【００２９】
【発明の効果】
以上説明したように、本発明のハイブリット式温風暖房器では、電気ヒータ部の運転、停止に関わらずガスヒータ部のガスバーナーを常時安定燃焼させることができるという効果を奏する。
【図面の簡単な説明】
【図１】本発明のハイブリット式温風暖房器の構成を説明する正面図
【図２】本発明のハイブリット式温風暖房器の構成を説明する縦断面図
【図３】ガスバーナーを拡大して説明する図
【符号の説明】
１　ハイブリット式温風暖房器
１１　筐体
１２ａ、１２ｂ　吹出口
１３ａ、１３ｂ　吸気口
２　ガスヒータ部
２０　ガスバーナー
２１　第１送風ファン
３　電気ヒータ部
３０　第２送風ファン
７　ケース
【図１】
2004125261.tif 000003
【図２】
2004125261.tif 000004
【図３】
2004125261.tif 000005